(57)【要約】【課題】見える化による省エネルギー活動に貢献可能な手段を提供することを課題とする。またあわせて、多様な情報を適切に利用可能とし、自動運転・停止手段を必要としない、低コストで実現可能なシステムを提供する。【解決手段】入退出情報から算出されるルーム単位での在室人数データと、前記在室人数データに対応する時刻データと前記時刻データに対応するエネルギー使用量及び機器状態に関するデータとを保持するルーム別履歴データベースを有するエネルギー管理システムに関する。【選択図】  図２
2014186606.tif 000002
【特許請求の範囲】
【請求項１】
入退出情報から算出されるルーム単位での在室人数データと、
前記在室人数データに対応する時刻データと、
前記時刻データに対応するエネルギー使用量及び機器状態に関するデータとを
保持するルーム別履歴データベースを有するエネルギー管理システム
【請求項２】
一定周期で収集したルーム単位でのエネルギー使用量及び機器状態に関するデータを
保持する履歴データベースを備え、
前記ルーム別履歴データベースは、
前記履歴データベースの前記エネルギー使用量及び機器状態に関するデータを
利用することを特徴とする請求項１記載のエネルギー管理システム
【請求項３】
前記ルーム別履歴データベースは、前記履歴データベースの前記エネルギー使用量及び機器状態に関するデータから算出される機器稼動率データまたは機器稼動時間データを保持することを特徴とする請求項２記載のエネルギー管理システム
【請求項４】
前記ルーム別履歴データベースは、前記入退出情報から取得される最終退出者データを保持することを特徴とする請求項１から請求項３のいずれかに記載のエネルギー管理システム
【発明の詳細な説明】
【技術分野】
【０００１】
本発明は、エネルギー管理システムに関する。
【背景技術】
【０００２】
従来より、プラントや建物などには、機器の運転状態を示すデータや室内温度などを監視する監視システムが設けられている。この監視システムは、中央監視装置を有し、中央監視装置には通信回線を介してコントローラが接続されている。コントローラは、各機器の制御を担当するとともに、機器の運転状態を示すデータや室内温度などの計測データを定期的に収集し、蓄積する。
【０００３】
一方、省エネルギーの要求が高まっており、監視システムには、エネルギー管理の役割が期待されている。
特許文献１記載の発明は、入退出管理システムと機器の集中管理システムを連携させ、自動で機器を停止させることで省エネルギーを達成しようとするものである。
また、特許文献２記載の発明は、ＲＦＩＤを使った入退出システムと中央監視システムを連携させ、人間の存在状況に応じて室内設備を制御することで、省エネルギーを達成しようとするものである。
【先行技術文献】
【特許文献】
【０００４】
【特許文献１】特開２００３−８７９２号公報
【特許文献２】特開２００５−２１４４９５公報
【発明の概要】
【発明が解決しようとする課題】
【０００５】
従来の発明では、無駄な機器使用を、人の有無から判断し、機器を自動停止することで、省エネルギーを図ることができる。しかし、エネルギー発生の要因を適切に把握した上で、改善活動により省エネルギーを図る、言わば、見える化による省エネルギー活動に貢献しているとは言えない。
また、人の有無といった単純な情報のみが利用されているにすぎず、また、機器の自動運転・停止手段を前提としたコストのかかる手段である。
【０００６】
そこで、本発明では、見える化による省エネルギー活動に貢献可能な手段を提供することを課題とする。またあわせて、多様な情報を適切に利用可能とし、自動運転・停止手段を必要としない、低コストで実現可能なシステムを提供する。
【課題を解決するための手段】
【０００７】
本発明は、入退出情報から算出されるルーム単位での在室人数データと、前記在室人数データに対応する時刻データと、前記時刻データに対応するエネルギー使用量及び機器状態に関するデータとを保持するルーム別履歴データベースを有するエネルギー管理システムに関する。
本発明にかかるエネルギー管理システムは、エネルギー使用量、機器状態をルーム単位で、在室人数、時刻とともに表示することができる。
ルーム単位のエネルギーの使用や機器稼動の要因を在室人数に対応付けて把握することが可能となり、エネルギー消費の見える化をおこなうことができる。
また、自動運転・停止手段を必要としないため、低コストで実現可能なシステムを提供することができる。
【０００８】
さらに、本発明は、一定周期で収集したルーム単位でのエネルギー使用量及び機器状態に関するデータを保持する履歴データベースを備え、前記ルーム別履歴データベースは、
前記履歴データベースの前記エネルギー使用量及び機器状態に関するデータを利用することを特徴とするエネルギー管理システムである。
一定周期で収集したルーム単位でのエネルギー使用量及び機器状態に関するデータを保持する履歴データベースは、トレンド情報を保持するために既に用意されている場合が多く、本発明を容易に導入することが可能となる。
【０００９】
前記ルーム別履歴データベースは、前記履歴データベースの前記エネルギー使用量及び機器状態に関するデータから算出される機器稼動率データまたは機器稼動時間データを保持することを特徴とするエネルギー管理システムとしてもよい。
機器稼動率または機器稼動時間は、ルーム単位のエネルギーの使用を在室人数に対応付けて把握する際に、有用な情報となり、さらなるエネルギー消費の見える化が可能となる。
【００１０】
前記ルーム別履歴データベースは、前記入退出情報から取得される最終退出者データを保持することを特徴とするエネルギー管理システムとしてもよい。
最終退出者は、例えば、在室ゼロ、すなわち、不在時の機器稼動や通常より多いエネルギー使用量の発生原因を把握する上で、重要な情報となり、さらなるエネルギー消費の見える化が可能となる。
【図面の簡単な説明】
【００１１】
【図１】本発明にかかるシステムの構成図
【図２】本発明にかかる機能ブロック図
【図３】本発明にかかるフロチャート
【図４】本発明にかかるデータベース
【発明を実施するための形態】
【００１２】
本発明の実施の形態に係るエネルギー管理システムは、図１に示す構成をとる。各構成要素について説明をしていく。
【００１３】
ネットワーク１には、イーサネット（登録商標）ケーブル等が使用される。
ネットワーク１には、イーサネット（登録商標）等の通信インターフェイスを備え付けたコントーラ１１、入退出管理システム２０、ゲートコントローラ２１の各機器が接続され、ＴＣＰ／ＩＰやＵＤＰの標準プロトコルを使用することにより、各接続機器が相互にデータ通信することができる。
【００１４】
ビル管理システム１０は、パーソナルコンピュータで構成され、キーボード、マウス、モニター等により操作・表示をおこなう。また、パーソナルコンピュータのＣＰＵ、メモリは、データ処理・表示等に使用され、ＨＤＤは履歴データの保存に使用される。
また、ビル管理システム１０は、上述したようにネットワーク１に接続されるため、ネットワーク１に接続されたコントローラ１１、入退出管理システム２０、ゲートコントローラ２１と通信可能である。
ビル管理システム１０は、ビル各ルームの温度、湿度、電力量といった環境やエネルギーに関する情報をルームに備え付けられたセンサ１２から収集し、演算・表示・保存等をするものである。また、空調機、照明をはじめとするビルに付帯した機器１３の状態、すなわち、運転・停止を収集し、表示、手動・自動での運転・停止をおこなう。
【００１５】
コントローラ１１は、ＣＰＵ、メモリ、通信インターフェイス、センサ１２からの信号線を接続するための端子台から構成される。
コントローラ１１は、各ルームに設置された発信機能を有するセンサ１２や機器１３と信号線で接続され、例えば、電流や電圧信号により、センサ１２や機器１３の状態の情報を収集し、また、機器１３の運転・停止をおこなう。
コントローラ１１では、ＰＩＤ制御等で温度、湿度等の調節をおこなうことができる。さらに、温度、湿度等が設定値範囲を超えた場合に異常信号の通知をおこない、また、ある時間になったら空調機を自動で運転・停止するといったシーケンス制御をおこなう。
【００１６】
センサー１２は、ルーム等に設置され、温度、湿度、電力、ガス、用益等の測定に使用され、発信機能を有することによりリモートでの監視・制御が可能となる。
機器１３は、空調機や照明といったビル付帯設備としてルーム等に設置され、発信機能を有することにより、機器状態のリモート監視やリモートから運転・停止が可能となる。
【００１７】
入退出管理システム２０は、パーソナルコンピュータで構成され、キーボード、マウス、モニター等により操作・表示をおこなう。また、パーソナルコンピュータのＣＰＵ、メモリは、データ処理・表示等に使用され、ＨＤＤは履歴データの保存に使用される。
また、入退出管理システム２０は、上述したようにネットワーク１に接続されるため、ネットワーク１に接続されたコントーラ１１、入退出管理システム２０、ゲートコントローラ２１と通信可能である。
入退出管理システム２０は、各ルームにセキュリティ目的で設置されたカードリーダ２２の情報を収集することにより、現在在室の状況や過去の状況を管理することができる。
【００１８】
ゲートコントローラ２１は、ＣＰＵ、メモリ、通信インターフェイスで構成される。
ゲートコントローラ２１では、カードリーダ２２やゲート２３と専用ネットワークに接続され、また、カードリーダ２２が読み取ったユーザーの情報等を入退出管理システム２０に中継する。
【００１９】
カードリーダ２２は、ユーザーがルーム入出力の際、ユーザー認証をおこなうために使用される。すなわち、ルームＡに入室する際に、ユーザーはカードをカードリーダ２２にかざし、カードリーダ２２が読み取ったデータをゲートコントローラ２１が処理し、入出を許可する場合には、ゲート２３を開錠する。
【００２０】
本発明の実施の形態に係る機能ブロックは、図２に示す構成をとる。
ビル管理データ収集部４０は、ルームＡに設置されたセンサ１２から、エネルギー使用量として、例えば、電力量を、機器１３から、例えば、照明や空調機の状態を収集する。
ビル管理履歴データ保存部４１は、ビル管理データ収集部４０が収集した、例えば、電力量、照明や空調機の機器状態を履歴データベース４２に保存する。
【００２１】
保存する手順について、図３のフローチャートで以下に説明する。
一定周期、例えば、１０分間経過するのを待ち（Ｓ６０）、電力量を履歴データベースに保存し（Ｓ６５）、同様に照明や空調機の機器状態を履歴データベースに保存する（Ｓ７０）。
【００２２】
ここで、履歴データベースに保存されるデータベースの形式を図４（Ａ）及び（Ｂ）で以下に説明する。
上述した電力量は、図４（Ａ）に示すように、日付、曜日、開始時刻、終了時刻、ルーム名、センサ名の各項目とともに、使用量の項目に保存される。
例えば、２０１３年３月１日（金）の９時００分にデータ収集したルームＡの電力量が１００Ｗの場合は、項目：日付に２０１３年３月１日が、項目：曜日に金が、項目：開始時刻に９：００が、項目：終了時刻に９：１０が、項目：ルーム名にルームＡが、項目：センサ名に電力量が、項目：使用量に１００Ｗが記録される。
また、上述した機器状態は、図４（Ｂ）に示すように、日付、曜日、開始時刻、終了時刻、ルーム名、機器名の項目とともに、状態の項目に保存される。
例えば、２０１３年３月１日（金）の９時００分にデータ収集したルームＡの空調機が停止の場合は、項目：日付に２０１３年３月１日が、項目：曜日に金が、項目：開始時刻に９：００が、項目：終了時刻に９：１０が、項目：ルーム名にルームＡが、項目：機器名に空調機が、項目：状態に停止が記録される。
【００２３】
図２のカードリーダイベント検知部５０は、カードリーダ２２から“入室あり”また“退出あり”のイベント情報を検知する。
ルーム別データ演算部５１の処理について、図３のフロチャートで以下に説明する。
カードリーダイベント検知部５０が検出する入室あり（Ｓ１０）または退出あり（Ｓ１５）のイベントを監視し、入室あり（Ｓ１０）と判断された場合、該当ルーム名を取得し、現在在室人数を在室人数に設定後、該当ルームの現在在室人数に１を加える（Ｓ２０）。
最終退出者が記録できるのは、在室人数が０のときである。そして、在室人数が０のデータに記録されるのは、在室０の状態が終了した時点、すなわち、入室ありを検出し、現在在室人数が０から１になったときである。そこで、ルームＡのカードリーダ２２から入室ありのイベントを検出し、かつ、ルームＡの在室人数が０（現在在室人数が１）の場合に、退出者を最終退出者に設定する（Ｓ２２）。
例えば、ルームＡの現在在室人数が３で、ルームＡのカードリーダ２２から入室ありのイベントを検出した場合、ルーム名ルームＡを取得し、在室人数に３を設定後、現在在室人数に１加え、４とする。ここで、在室人数に０の場合は、前回、退出あり時に退出者Ｈを取得していた場合、最終退出者にＨを設定する。
退出あり（Ｓ１５）と判断された場合は、該当ルーム名及び退出者を取得し、現在在室人数を在室人数に設定後、該当ルームの現在在室人数に１を減じる（Ｓ２５）。
また、例えば、ルームＡの現在在室人数が３で、ルームＡのカードリーダ２２から退出ありのイベントを検出した場合、ルーム名ルームＡ及び退出者Ｈを取得し、在室人数に３を設定後、現在在室人数を１減じ、２とする。
次に、現在時刻を終了時刻に設定する（Ｓ３０）。
【００２４】
次に該当ルームの開始時刻から終了時刻までのデータを上述した履歴データベース４２から取得する（Ｓ３５）。
例えば、２０１３年３月１日９：２０分にルームＡに入室ありのイベントを検出し、開始時刻が９：００なら、ルームＡの９：００〜９：２０のデータを履歴データベース４２から検索し、そのデータを取得する。図４（Ａ）と（Ｂ）の例であれば、ルームＡの２０１３年３月１日の９：００〜９：１０と９：１０〜９：２０のデータを履歴データベース４２から取得する。
また、例えば、２０１３年３月１日９：２０分にルームＢに退出ありのイベントを検出し、開始時刻が９：００なら、ルームＢの９：００〜９：２０のデータを履歴データベース４２から検索し、そのデータを取得する。図４（Ａ）と（Ｂ）の例であれば、ルームＢの２０１３年３月１日の９：００〜９：１０と９：１０〜９：２０のデータを履歴データベース４２から取得する。
【００２５】
ルーム別データ演算部５１は、次にＳ３５で習得したデータから開始時刻から終了時刻までの使用量、機器稼動率、機器稼働時間を演算する（Ｓ４０）。
図４（Ａ）の例であれば、Ｓ３５で、ルームＡの２０１３年３月１日９：００〜９：２０に該当するデータを履歴データベース４２から検索し、ルームＡの２０１３年３月１日の９：００〜９：１０の電力の使用量（１００Ｗ）と９：１０〜９：２０の電力の使用量（２００Ｗ）をデータベースから取得しているので、それぞれの使用量を加算することにより、ルーム１の２０１３年３月１日９：００〜９：２０の電力量（０．３ｋｗ）を算出する（Ｓ４０）。
また、図４（Ｂ）の例であれば、同時に、Ｓ３５で、９：００〜９：２０に該当するデータを履歴データベース４２から検索し、ルームＡの２０１３年３月１日の９：００〜９：１０の照明の状態“運転”と同じく空調機の機器状態“停止”を、９：１０〜９：２０の照明の状態“運転”と同じく空調機の機器状態“運転”を履歴データベースから取得しているので、９：００〜９：２０の照明の稼働率１００％、空調機の稼働率５０％、照明の稼働時間２０分、空調機の稼働時間１０分を算出する（Ｓ４０）。
【００２６】
次にＳ４０で算出したデータ等をルーム別履歴データベースに保存する。（Ｓ４５）
図４（Ｃ）に示すように、ルーム名、日付、曜日、開始時刻、終了時刻、在室人数、最終退出者、照明稼動率、照明稼働時間、空調機稼動率、空調機稼働時間、電力量の各項目にデータが記録される。
例えば、ルームＡの在室人数が３で、上述したＳ４０の例のデータを算出した場合、項目：ルーム名にはルームＡ、項目：日付には２０１３年３月１日、項目：曜日には金、項目：開始時刻時間には９：００、項目：終了時刻時間には９：２０、項目：在室人数には３、項目：最終退出者にはなし、項目：照明稼動率には１００％、項目：照明稼働時間には２０分、項目：空調機稼動率には５０％、項目：空調機稼働時間には１０分、項目：電力には、０．３ｋｗｈが記録される。
尚、在室人数が０で、最終退出者Ｈの場合には、項目：在室人数には０、項目：最終退出者には、Ｈが記録される。
次に、該当ルームの次回演算のために、開始時間に現在時刻を設定し、また、最終退出者をリセットする。（Ｓ５０）
【００２７】
ルーム別履歴データ表示部５３は、ユーザーの要求により、ルーム別履歴データの表示をおこなう。
ルーム別履歴データ表示部５３は、ルーム別履歴データベース５２にアクセスし、必要なデータを検索し、モニターに表示する。
例えば、図４（Ｃ）の形式で、ユーザーが指定した期間のデータを表示する。
また、在室が０であって、照明稼動率、空調稼動率、電力稼動率が、予め設定した値を超えていた場合、停止忘れの警告として、色を替えて表示してもよい。
【符号の説明】
【００２８】
１  ネットワーク
１０  ビル管理システム
１１  コントローラ
１２  センサ
１３  機器
２０  入退出管理システム
２１  ゲートコントローラ
２２  カードリーダ
２３  ゲート
１００  エネルギー管理システム
【図１】
2014186606.tif 000003
【図２】
2014186606.tif 000004
【図３】
2014186606.tif 000005
【図４】
2014186606.tif 000006